(57)【要約】    半個体または液体の保存と使用に使用することのできる、自己締結クロージャキャップ（２）を備える、新規なチューブボディ（１）。
2009545491.tif 000002
【特許請求の範囲】
【請求項１】
その基部表面が円形または楕円形であるクロージャキャップ付きのチューブボディにおいて、
前記基部表面は、閉止定置表面を形成するように設計され、前記クロージャキャップの反対側は、前記チューブボディを導入するための凹部を形成するように設計されており、ラッチカムまたはロッキングラグ付き密封コーンが、前記凹部の上縁に配設され、それに対応して、少なくとも１つのラッチ溝が前記チューブボディの出口上に配設されている、前記チューブボディであって、
シールが、前記クロージャキャップの底部の中心に配設されて、チューブボディの出口を閉止すること、および前記クロージャキャップ内への導入の間に、前記チューブボディをセンタリングするためのガイドがあることを特徴とする、前記クロージャキャップ付きチューブボディ。
【請求項２】
ラッチカムが、凹部の上縁上に配設され、それに対応して、少なくとも１つのラッチ溝がチューブボディの出口上に配設されており、
密封シートが、キャップの底部の中心に配設されて、チューブボディの出口を密封するとともに、クロージャキャップ中に導入する間に、チューブボディをセンタリングするチューブショルダ上にガイドが配設されていることを特徴とする、請求項１に記載のクロージャキャップ付きチューブボディ。
【請求項３】
密封シートの高さが０．５〜１０ｍｍであり、チューブの開放状態において、その出口と係合することを特徴とする、請求項１または２に記載のクロージャキャップ付きチューブボディ。
【請求項４】
チューブボディの出口が、密封コーンを形成するように設計されており、後者は、クロージャキャップの底部上の密封シートに係合し、それのチューブへの接続がセンタリング補助として設計されており、
クロージャキャップの底部に弾力的に装着されたキャップロッキングラグがあり、チューブの閉止の間に、チューブショルダ上の密封コーンの上方の溝の中にラッチがかかることを特徴とする、請求項１に記載のクロージャキャップ付きチューブボディ。
【請求項５】
半固体または液体化合物を保存し使用するための、ベース表面が円形または楕円形であるクロージャキャップ付きのチューブボディの使用であって、
基部表面は閉止定置表面を形成するように設計され、前記クロージャキャップの反対側は、前記チューブボディを導入するための凹部を形成するように設計されており、
ラッチカムまたはロッキングラグ付きの密封コーンが、前記凹部の上縁上に配設されており、それに対応して、少なくとも１つのラッチ溝が前記チューブボディの出口上に配置されており、
シールが前記クロージャキャップの底部の中心に配設されて、前記チューブボディの出口を閉止し、
クロージャキャップ中に導入する間にチューブボディをセンタリングするためのガイドがある、前記使用。
【請求項６】
チキソトロピー性化合物を保管し使用するための、請求項５に記載の使用。
【請求項７】
化粧品を保管し使用するための、請求項５または６に記載の使用。
【請求項８】
練り歯磨き、クリームまたはゲルを保管し使用するための、請求項５または６に記載の使用。
【請求項９】
工業用材料を保管し使用するための、請求項５または６に記載の使用。
【請求項１０】
食料品を保管し使用するための、請求項５または６に記載の使用。
【発明の詳細な説明】
【技術分野】
【０００１】
本発明は、新規なクロージャキャップ付きチューブボディに関し、またチキソトロピー性化合物を保存し使用するための、該クロージャキャップ付きチューブボディの使用に関する。
【背景技術】
【０００２】
周知のように、チューブは、チューブボディとクロージャを含む。チューブボディは細長く、固体であるが、成形可能である容器であり、例えば、クリームまたは練り歯磨きなどの柔らかい物質や、食料品または工業用化合物も収納することができる。円形または楕円形のケースは、一般的にプラスチックまたは金属シートで製造される。一端のクロージャを備える開口は、内容物を除去する役割を果たす。この一般的に円形の開口は、「チューブショルダ」の中心に位置し、「キャップ」で閉止され、このキャップは、例えば、プラスチックまたは金属で作成することができる。
【０００３】
チューブの内容は、一般に、柔らかい物質、好ましくはチキソトロピー性化合物を含む。
チューブを使用する間に、絶え間なくチューブをねじって取り付けたり、ねじって締めるのは煩わしく、したがって忘れられがちであり、チューブが乾燥してしまう結果となる。さらに、直立型チューブは、外見の印象がより好ましい。
【０００４】
チューブの開放と閉止の操作を改良すること、またクリーム容器を直立に定置するには、多数の解決策がある。
例えば、平底フラスコが市販されており、この場合には、クリームはピストンを介して上方に運ばれて容器の外に出る。しかしながら、この種のパッケージは非常に高価であり、したがって商業的な重要性は低い。
【０００５】
膜式クロージャを含む、直立型チューブも知られている。これらのクロージャは、シャワー製品分野や、食品分野（蜂蜜およびケチャップ）で、古くから知られている。特に練り歯磨き用には、これらのパッケージは高価すぎるとともに、膜があるにもかかわらず、それと付属して供給されるスタンドに製品残留物が残ったままとなることが多いため、あまり衛生的ではない。
スタンドとして設計されたチューブクロージャキャップも知られているが、チューブの密封や閉止は、それらにおいて適切に解決されていない。
【０００６】
特許文献１は、円筒状下部（１）を備えるチューブクロージャを記載しており、この円筒状下部（１）は、チューブショルダとして設計され、一端側に出口開口（２）と、下部（１）の上に嵌め込むことができるクロージャキャップ（３）を有し、このクロージャキャップは、下部（１）の上に嵌められた状態で、出口開口（２）を閉止し、このチューブクロージャにおいて、下部（１）は、その周囲にくぼみ（４）を有し、このくぼみ（４）は周囲のほぼ４分の１にわたって延びるとともに、下部（１）の軸（５）に対して８５〜６０°、好ましくは８０〜７０°の角度で伸びており、クロージャキャップ（３）は、その周囲の内側に突起（６）（“ラッチスタッド”）を有し、この突起（６）は、クロージャキャップ（３）が下部（１）の上に配置されると、くぼみ（４）の中に係合される。
チューブクロージャ中へのチューブのガイドが、この文献の２欄、１６〜３３行に記載されている。このガイドは、ラッチ溝（バヨネット型クロージャ）の傾斜によって達成される。
【０００７】
さらに、特許文献２は、チューブおよびプラスチックボトルを保持するための装置を記載しており、この場合には、両者は、その内側に通路が設けられて、外方向に円錐状に成形されたマウスピースを備えて、ホルダ内に垂直に立てられており、このホルダは内側に製造されて、クロージャの基部に締結されたねじつき結合部品の上に、マウスピースが内部ねじによってねじ込まれ、それによってマウスピース内の通路が阻止されると、マウスピースコーンの方向に吸い付くようにされている。
特許文献３は、バヨネット型チューブクロージャを記載している。
特許文献４は、チューブ用の壁ホルダを記載している。
【先行技術文献】
【特許文献】
【０００８】
【特許文献１】独国特許出願公開第１９６３９１２４号明細書
【特許文献２】独国特許出願公開第２１６１２３７号明細書
【特許文献３】独国特許出願公開第１９９２４７３０号明細書
【特許文献４】独国実用新案第７４０９７２３号明細書
【発明の概要】
【発明が解決しようとする課題】
【０００９】
本発明の目的は、いつでも開放動作なしにスタンド内に直立して定置されるチューブを提供することであり、これによって、いつでも開放操作なしにチューブを取り外し、また使用後に、同様に簡単な方法でそれをスタンド中に戻すこと、およびチューブが乾燥することなく、かつ大きな追加のコストなしにこれを行うことが可能となる。この種のチューブはまた、例えば、輸送のために安定して閉止可能である。
【課題を解決するための手段】
【００１０】
新規なチューブボディは、その基部表面が円形または楕円形であるクロージャキャップを備え、
基部表面は、閉止定置表面を形成するように設計され、クロージャキャップの反対側は、チューブボディを導入するための凹部を形成するように設計されており、ラッチカムまたはロッキングラグ付きの密封コーンが、凹部の上縁に配設され、それに対応して、少なくとも１つのラッチ溝がチューブボディの出口上に配設されている、チューブボディであって
シールがクロージャキャップの底部の中心に配設されて、チューブボディの出口を閉止すること、およびクロージャキャップ内への導入の間に、チューブボディをセンタリングするためのガイドがあることを特徴とする。
【００１１】
特許文献１から公知のチューブクロージャと異なり、本発明によれば、クロージャキャップ中へのチューブボディの誘導は、クロージャキャップの内部部分（凹部）内のガイド要素によって行われる。
本発明によるこの種の誘導は、チューブが、引き抜き部分の底部上の高さにセンタリングされて噛みあうので、同時に閉止する必要がないという利点がある。
【発明の効果】
【００１２】
公知のバヨネット型クロージャは、とりわけ、２つの重大な欠点があり、これは本発明のクロージャによって回避することができる：
設計上の理由で、公知のバヨネット型クロージャにおいては、チューブが配置されるときに、ラッチ溝が指定されたくぼみ内に留まり、それによってチューブを密封するとともに、安定に留まるのは、約５０％の確率にすぎない。本発明によれば、この位置は常に達成される。
公知のバヨネット型クロージャは、それらを固定するのに常に両手操作を必要とするが、本発明では片手操作だけが必要である。しかしながら、両手操作は、従来のチューブのねじ連結に対して何の利点もないのに対して、片手操作は実質的に使用を容易にする。
【図面の簡単な説明】
【００１３】
【図１】図１は、開放状態すなわち使用位置における変形形態Ａを示す図である。
【図２】図２は、輸送位置において前記変形形態を示す、それぞれ正面図および側面図である。
【図３】図３は、輸送位置（３ａ）および使用位置（３ｂ）における、変形形態Ｂのクロージャキャップをそれぞれ示す図である。
【発明を実施するための形態】
【００１４】
本発明は、例えば、以下の好ましい態様において実現することができる。
第１の好ましい態様（変形形態Ａ、図１）によれば、ラッチカムが凹部の上縁に配設されており、対応して、少なくとも１つのラッチ溝がチューブボディの出口に配設されており、
密封シートが、キャップの底部の中心に配設されて、チューブボディの出口を密封し、
チューブボディをクロージャキャップ中に導入する間にセンタリングするために、ガイドがチューブショルダ上に配設されている。
【００１５】
クロージャキャップの底部の中心にある密封シートは、半球、スパイク、コーンまたはピラミッドとして設計される形状を有することができる。前記密封シートは、一般に、０．５〜１０ｍｍ、好ましくは２〜５ｍｍの高さであり、チューブの開放状態において、その出口と係合して、外に出てくる製品に対して、または外部から貫通する汚れに対して、チューブを密封する。
【００１６】
本発明によるクロージャキャップ付きチューブボディ（変形形態Ａ）は、驚くべきことに、開放操作なしにいつでもチューブを取り外すことができ、使用後に、同様に簡単な方法でスタンド中に戻すことができるとともに、これを、チューブを乾燥させることなく、または大きな追加コストなく行うことができる。クロージャキャップの回転によって、ラッチカムがラッチ溝に入って噛み合い、それによって、例えば輸送に対してチューブが安定して閉止される。
【００１７】
本発明のさらに好ましい態様（変形形態Ｂ、図３）によれば、チューブボディの出口は、密封コーンを形成するように設計されており、この密封コーンは、クロージャキャップの底部上の密封シートと係合し、この密封シートのチューブへの連結が、センタリグ補助として設計されており、クロージャキャップ内に可動に装着された、キャップロッキングラグが備えられており、チューブの閉止の間、チューブショルダ上の密封コーンの上方の溝に入って噛み合う。
クロージャキャップの底部の密封シートは、密封コーンがその上に載る円筒として設計してもよい。それはまた、チューブ開口と係合しそれによってチューブ内容物を密封する、半球、スパイク、コーンまたはピラミッドとして設計してもよい。
【００１８】
変形形態Ｂに対応するクロージャキャップを備える、本発明によるチューブボディによって、変形形態Ａと同様に驚くべきことに、開放操作なしにいつでもチューブを取り外すことが可能となり、使用後に、同様に簡便な方法で、それをスタンド中に戻し、チューブが乾燥してしまうことなく、または大きな追加コストもなく、これを行うことが可能となる。このチューブをクロージャキャップ中に押し込むことによって、クロージャキャップと密封シートにフィルムヒンジを介して可動式に接続されているロッキングラグは、開放位置におけるその安定端位置から出て、閉止位置における別の安定端位置へと動かされて、そこでチューブボディ上のラッチ溝に入って噛み合い、チューブが、例えば、輸送に対して安定して閉止される。
【００１９】
チューブの開放は、対応する方法で、チューブボディをクロージャキャップから引き出すことによって行われ、その結果として、クロージャキャップと密封シートにフィルムヒンジを介して可動式に接続されているロッキングラグが傾けられて、閉止された安定端位置から出て、開放された安定端位置へと入り、それによってチューブボディを開放する。
両方の変形形態は、チキソトロピー性合物のパッケージに、非常に好適である。
【００２０】
本発明の範囲内において、チューブボディをセンタリングするガイドは、好ましくは、チューブショルダ上に配設してもよい。
本発明の範囲に含まれるチキソトロピー性化合物は、一定のせん断応力がかけられると、粘性が低下する「非ニュートン流体」である。せん断応力が停止された後に、再び初期の粘性が回復する。
スタンドキャップの両方の変形形態は、円筒として、または、より良好な安定性のゆえに、その他、チューブが常に確実に直立して定置されるように基部表面を円形または楕円形とすることのできる、円錐台として設計してもよい。
【００２１】
チューブキャップの基部表面は、その寸法において、チューブボディの寸法に対応している。それは、一般的には下部直径が４０〜８０ｍｍであり、好ましい円錐状の態様の場合には、前記直径は、チューブ直径側の約２０〜５０ｍｍまで、上方にテーパがつけられている。
チューブキャップの高さは、一般的に、２０〜５０ｍｍの範囲である。
個々の要素付きのチューブキャップは、一般に、従来式射出成形工程で製造することができる。
【００２２】
ラッチ溝付きのチューブボディの製造は、自明の方法で、例えば射出成型によって行うことができる。
このチューブボディを備える、本発明によるクロージャキャップを図１〜３によって説明する。
【００２３】
図１は、開放状態すなわち使用位置における変形形態Ａを示す図である。図２は、輸送位置において前記変形形態を示す、それぞれ正面図および側面図である。両方の場合において、番号１はチューブボディを指し、番号２はクロージャキャップを指し、このクロージャキャップは、その上縁に、ラッチカム（３．１）を有し、このラッチカム（３．１）は、この位置ではラッチ溝（４．１）と係合していないが、図２の位置（輸送位置）においては係合している。チューブショルダは、センタリングカラー（５）として設計されている。チューブ開口は、密封シート（７）によって密封されている。チューブキャップの底部は、通風開口（６）を包含し、この通風開口は、チューブキャップの清浄化に役割も果たす。
【００２４】
図３は、輸送位置（３ａ）および使用位置（３ｂ）のそれぞれの場合における、変形形態Ｂのクロージャキャップを示し、番号は、変形形態Ａと同様に選択されている：１および２は、チューブボディおよびクロージャキャップを指し、ここでは変形形態Ａの溝とカムの代わりに、密封コーン（３．２）およびキャップロック（４．２）があり、センタリングカラー（５）、通風開口（６）、および密封シート（７）は、変形形態Ａと同様である。
【００２５】
本発明の主題はまた、半固体または液体化合物を保管し使用するための、ベース表面が円形または楕円形であるクロージャキャップ付きのチューブボディの使用であって、
基部表面は、閉止定置表面を形成するように設計されており、クロージャキャップの反対側は、チューブボディを導入するための凹部を形成するように設計されており、
ラッチカムまたはロッキングラグ付きの密封コーンが、凹部の上縁上に配置され、それに対応して、少なくとも１つのラッチ溝がチューブボディの出口上に配設されており、
シールがクロージャキャップの底部の中心に配設されて、チューブボディの出口を閉止し、
クロージャキャップ内への導入の間にチューブボディをセンタリングするためのガイドがチューブショルダ上に配置されている、使用である。
【００２６】
本発明の範囲に含まれる半固体または液体の化合物は、チキソトロピー性であってもよい。
本発明の範囲内において、化粧品を保管し使用するための、クロージャキャップ付きチューブボディの使用が好ましい。
本発明の範囲内の好ましい化粧品は、ペースト、クリームまたはゲルとしてもよい。
【００２７】
チキソトロピー性を有する化粧品は、例えば、練り歯磨き、日焼け止めゲルまたはクリームとしてもよい。
練り歯磨きの使用が特に好ましい。
チキソトロピー性を有する工業用材料を保管し使用するために、クロージャキャップ付きチューブボディを使用することが、本発明の範囲において好ましい。
【００２８】
チキソトロピー性を有する技術材料としては、例えば、密封化合物やペイントがある。
チキソトロピー性を有する食料品を保管し使用するために、クロージャキャップ付きチューブボディを使用することは、本発明の範囲において好ましい。
チキソトロピー性を有する食料品は、例えば、マスタード、ケチャップ、および蜂蜜である。
【符号の説明】
【００２９】
１  チューブ本体
２  クロージャキャップ
３．１  ラッチカム（変形形態Ａ）
３．２  密封コーン（変形形態Ｂ）
４．１  ラッチ溝（変形形態Ａ）
４．２  キャップロック（変形形態Ｂ）
５  センタリングカラー
６  通風開口
７  密封シート
【図１】
2009545491.tif 000003
【図２】
2009545491.tif 000004
【図３】
2009545491.tif 000005
【国際調査報告】
2009545491.tif 000006
2009545491.tif 000007
2009545491.tif 000008
2009545491.tif 000009